(57)【特許請求の範囲】
【請求項１】
調整装置のための圧力逃しアセンブリであって、
複数の保持溝を有するアクチュエータステムと、
前記アクチュエータステム上に動作可能に接続された逃しプレートと、
前記アクチュエータステム上に動作可能に接続されたダイアフラムプレートと、
前記逃しプレートと前記ダイアフラムプレートとの間に少なくとも部分的に配置されるダイアフラムと、
前記複数の保持溝のうちの１つにおいて前記アクチュエータステム上に取り外し可能に取り付けられる逃しばね座と、
前記アクチュエータステム上に配置されたプラグフランジと、
前記アクチュエータステム上に配置されたプラグ座と、
を備え、
前記プラグフランジおよび前記プラグ座が、プラグ溝によって分離される、圧力逃しアセンブリ。
【請求項２】
前記保持溝が、複数の保持停止部によって分離される、請求項１に記載の圧力逃しアセンブリ。
【請求項３】
前記保持溝のうちの１つに配置される保持クリップをさらに備える、請求項１または２に記載の圧力逃しアセンブリ。
【請求項４】
前記アクチュエータステム上に配置される逃しばねをさらに備える、請求項１〜３のいずれか一項に記載の圧力逃しアセンブリ。
【請求項５】
前記逃しばねが、前記逃しばね座と前記逃しプレートとの間に配置される、請求項１〜４のいずれか一項に記載の圧力逃しアセンブリ。
【請求項６】
前記アクチュエータステムが、前記逃しばねを保持するためのばねガイド部を含む、請求項１〜５のいずれか一項に記載の圧力逃しアセンブリ。
【請求項７】
前記アクチュエータステム上に配置されるプラグをさらに備え、前記プラグは前記アクチュエータステムを前記ダイアフラムプレートに連結する、請求項１〜６のいずれか一項に記載の圧力逃しアセンブリ。
【請求項８】
前記プラグの一部が、前記プラグ溝内に配置される、請求項７に記載の圧力逃しアセンブリ。
【請求項９】
前記アクチュエータステム上にプレート取付フランジをさらに備える、請求項１〜８のいずれか一項に記載の圧力逃しアセンブリ。
【請求項１０】
前記逃しプレート中に開口部をさらに備え、前記プレート取付フランジが前記開口部を通して前記逃しプレートに連結される、請求項９に記載の圧力逃しアセンブリ。
【請求項１１】
調整装置のための圧力逃しアセンブリであって、
複数の保持溝を有するアクチュエータステムと、
前記アクチュエータステム上に動作可能に接続された逃しプレートと、
前記アクチュエータステム上に動作可能に接続されたダイアフラムプレートと、
前記逃しプレートと前記ダイアフラムプレートとの間に少なくとも部分的に配置されるダイアフラムと、
前記複数の保持溝のうちの１つにおいて前記アクチュエータステム上に取り外し可能に取り付けられる逃しばね座と、
前記アクチュエータステム上に配置されたプレート取付フランジと、
前記アクチュエータステム上に配置されたプラグ座と、
前記アクチュエータステム上において、前記プレート取付フランジと前記プラグ座との間に配置されたアンダーカット部と、を備える、圧力逃しアセンブリ。
【請求項１２】
前記複数の保持溝が、３つの保持溝を含む、請求項１〜１１のいずれか一項に記載の圧力逃しアセンブリ。
【請求項１３】
前記３つの保持溝が、２つの保持停止部によって分離される、請求項１２に記載の圧力逃しアセンブリ。
【請求項１４】
流体移動システムのための調整装置であって、
請求項１に記載の圧力逃しアセンブリと、
流体入口および流体出口を有する弁本体と、
前記アクチュエータステム上によって弁体に動作可能に接続されるアクチュエータであって、前記弁本体を通る流体の流れを制御するために前記弁本体内で前記弁体を移動させる、アクチュエータと、を備える、調整装置。
【請求項１５】
前記弁体を前記アクチュエータに動作可能に接続させる作動アセンブリをさらに備える、請求項１４に記載の調整装置。
【請求項１６】
前記作動アセンブリが弁ステムを含む、請求項１５に記載の調整装置。
【請求項１７】
前記作動アセンブリが前記弁ステムおよび前記アクチュエータステムに動作可能に接続されるレバーをさらに含む、請求項１６に記載の調整装置。
【発明の詳細な説明】
【技術分野】
【０００１】
本発明は、概して、調整装置に関し、より具体的には、調節可能な固定圧力逃しアセンブリを有する調整装置に関する。
【背景技術】
【０００２】
ある位置から別の位置への流体の流れは、しばしば、弁または調整装置によって制御される。弁または調整装置は、ある特定の流量または流体圧力を既定の範囲内に維持するように設計される場合がある。調整装置は、弁座に対して弁体の位置を制御する作動機構を含む。弁体および弁座は協働して、弁または調整装置を通る流体の流れを制御する。
【０００３】
ガスタンクの操作等のいくつかの環境において、流体圧力が危険なレベルにまで高まる可能性が存在する。例えば、天然ガスまたはプロパン産業において、調整弁は、タンクから外への天然ガスまたはプロパンの流れを制御する場合がある。タンク内の天然ガスまたはプロパンの温度が上昇すると、この天然ガスまたはプロパンの圧力も増加する。この圧力が調整装置またはタンクに対する設計圧力を上回る場合、材料破壊が生じ、生命および所有物への危険を引き起こす場合がある。そのため、タンクに取り付けられるほとんどの調整装置は、タンクまたは調整装置自体に取り付けられる何らかの圧力逃し装置を有する。
【０００４】
いくつかの調整装置では、圧力逃しアセンブリは、アクチュエータ筺体中に位置してもよい。圧力逃しアセンブリには、アクチュエータステム、ダイアフラムプレート、逃しプレート、ダイアフラムプレートと逃しプレートとの間に少なくとも部分的に配置されるダイアフラムが含まれる。逃しばねが逃しばね座と逃しプレートとの間に配置され、この逃しばねは、逃しプレートをダイアフラムに向かって付勢し、取り外し可能なシールをダイアフラムと逃しプレートとの間に形成する。一般的に言えば、固定アセンブリおよび調節可能なアセンブリの２種類の逃しアセンブリがある。固定アセンブリには、アクチュエータステムに固定され、アクチュエータステムに対して移動可能ではない逃しばね座が含まれる。固定アセンブリは、単一の逃し圧力に設定され、他の設定点に適合可能ではない。しかしながら、固定アセンブリには高い信頼性がある。
【０００５】
一方、調節可能なアセンブリには、圧縮ナットでアクチュエータステムに移動可能に取り付けられた調節可能な逃しばね座が含まれる。調節可能な逃しばね座は、アクチュエータステムに沿って移動し、逃しばねによって生じた付勢を調節してもよい。調節可能なアセンブリはより柔軟であり、異なる逃し圧力に対して適合する場合がある。しかしながら、調節可能なアセンブリは、圧縮ナットに緩みを生じる場合、逃しばね座がアクチュエータステムに沿って予想外に移動する場合があるため、より不具合が生じやすい。このため、調節可能なアセンブリは信頼性がより低く、いくつかの規制によって、ある特定の使用に対する調節可能なアセンブリの使用が妨げられる場合がある。
【発明の概要】
【０００６】
本発明の１つの例示的な態様に従って、圧力逃しアセンブリは複数の保持溝を有するアクチュエータステムを含んでもよい。逃しプレートは、アクチュエータステムに動作可能に接続されてもよく、ダイアフラムプレートは、アクチュエータステムに動作可能に接続されてもよい。ダイアフラムは、逃しプレートとダイアフラムプレートとの間に少なくとも部分的に配置される場合がある。逃しばね座は、複数の保持溝のうちの１つにおいてアクチュエータステムに取り外し可能に取り付けられてもよい。逃しばねは、ある保持溝か
ら別の保持溝へと取付点を移動させることによって調節されてもよい。
【０００７】
本発明の別の例示的な態様に従って、調節装置は、圧力逃しアセンブリと、流体入口および流体出口を有する弁本体とを含む場合がある。アクチュエータは、アクチュエータステムによって弁体に動作可能に接続され、このアクチュエータは、弁本体を通る流体の流れを制御するために弁本体内で弁体を移動させる場合がある。
【０００８】
前述の態様のうちの任意の１つ以上にさらに従って、圧力逃しアセンブリは、以下の好ましい形態のうちの任意の１つ以上をさらに含んでもよい。
【０００９】
圧力逃しアセンブリは、保持溝の間に配置される複数の保持停止部を含んでもよい。圧力逃しアセンブリは、保持溝のうちの１つに配置される保持クリップを含んでもよい。圧力逃しアセンブリは、作動ステム上に配置される逃しばね座を含んでもよい。圧力逃しアセンブリは、逃しばね座と逃しプレートとの間に配置される逃しばねを含んでもよい。圧力逃しアセンブリは、逃しばねを保持するためにアクチュエータステム上にばねガイド部を含んでもよい。圧力逃しアセンブリは、アクチュエータステム上に配置されるプラグを含み、このプラグは、ダイアフラムプレートにアクチュエータステムを連結してもよい。圧力逃しアセンブリは、アクチュエータステム上でプラグフランジを含んでもよい。圧力逃しアセンブリは、アクチュエータステム上にプラグ座を含んでもよい。圧力逃しアセンブリは、プラグフランジとプラグ座とを分離するプラグ溝を含んでもよい。圧力逃しは、プラグ溝内に配置されるプラグの一部を含んでもよい。圧力逃しアセンブリは、アクチュエータステム上にプレート取付フランジを含んでもよい。圧力逃しアセンブリは、逃しプレート中に開口部を含んでもよく、プレート取付フランジは、開口部を通して逃しプレートに連結されてもよい。圧力逃しアセンブリは、アクチュエータステム上にアンダーカット部を含んでもよく、アンダーカット部はプレート取付フランジとプラグ座との間に配置さてもよい。圧力逃しアセンブリは、３つの保持溝を含んでもよい。圧力逃しアセンブリは、２つの保持停止部を含んでもよい。
【図面の簡単な説明】
【００１０】
【図１】調節可能な固定圧力逃しアセンブリを有する例示的な調整装置の断面図である。
【図２】図１の調節可能な固定圧力逃しアセンブリの拡大断面図である。
【図３】図２の調節可能な固定圧力逃しアセンブリのアクチュエータステムの断面図である。
【発明を実施するための形態】
【００１１】
本明細書に記載の調節可能な固定圧力逃しアセンブリは、圧力逃しばね座の不用意な移動の危険を冒すことなく、圧力逃しばね座の設定点を調節する能力を有利に提供する。したがって、開示される調節可能な固定圧力逃しアセンブリは、従来の固定アセンブリよりも適合可能であり、従来の調節可能なアセンブリよりも安全である。さらに、開示される調節可能な固定圧力逃しアセンブリは、製造が容易であり、既存の調整装置への導入が容易である。
【００１２】
一般的に言えば、開示される調節可能な固定圧力逃しアセンブリは、アクチュエータステム上の位置に確実に固定される調節可能な逃しばね座を提供する。したがって、開示される調節可能な固定圧力逃しアセンブリは信頼性があり、地域の条例によって固定圧力逃しアセンブリを必要とする調整装置において使用可能である。
【００１３】
別途明記されない限り、本明細書に開示される調節可能な固定圧力逃しアセンブリの実施形態のうちの任意の１つの特徴または特性のいずれかを、調節可能な固定圧力逃しアセ
ンブリの任意の他の実施形態の特徴または特性と組み合わせてもよい。
【００１４】
図１を参照すると、調整装置１０は、弁３０とアクチュエータ６０とを含む。弁３０は、流体入口３４と流体通路３８によって接続される流体出口３６とを有する弁本体３２を含む。流体入口３４は、タンク（図示せず）等の流体源に接続されてもよい。１つの例示的な実施形態において、流体入口３４は、天然ガスのタンクまたはプロパンのタンクのようなガスのタンクに接続される。弁体４０と弁座４２とは、流体通路３８内に配置され、弁体４０と弁座４２とは協働して、流体通路を通る流体流を制御する。弁体４０は、作動アセンブリ４４によってアクチュエータ６０に動作可能に接続されてもよい。
【００１５】
作動アセンブリ４４は、アクチュエータステム６２に動作可能に接続されるレバー４８に動作可能に接続される弁ステム４６を含んでもよい。アクチュエータ６０は、弁３０内の圧力変動に応答してアクチュエータステム６２を動かす。アクチュエータステム６２は今度は、レバー４８を動かし、これは弁ステム４６を動かす。他の実施形態では、弁ステム４６は、アクチュエータステム６２に直接連結されてもよく、またはそれと一体的に形成されてもよい。
【００１６】
アクチュエータ６０は、空洞６６を画定するアクチュエータ筺体６４を含む。空洞６６は、ダイアフラム７２によって第１のチャンバ６８と第２のチャンバ７０とに分割される。ダイアフラム７２は、取付フランジ７４においてアクチュエータ筺体に固定される。ダイアフラムプレート７６は、アクチュエータステム６２に動作可能に取り付けられ、ダイアフラムプレート７６は、空洞６６内での移動中、ダイアフラム７２を支持する。ダイアフラムプレート７６は、ダイアフラム７２と第２のチャンバ７０との間に配置される。逃しプレート７８は、アクチュエータステム６２に摺動自在に取り付けられる。逃しプレート７８は、概して、第２のチャンバ７０内の圧力変化に応答して、アクチュエータステム６２とともに移動する。逃しプレート７８は、ダイアフラム７２と第１のチャンバ６８との間に配置される。換言すれば、ダイアフラム７２は、ダイアフラムプレート７６と逃しプレート７８との間に少なくとも部分的に配置される。
【００１７】
アクチュエータばね８０は、第１のチャンバ６８内に配置され、アクチュエータステム６２と実質的に同軸である。アクチュエータばね８０は、一方の端においてアクチュエータばね座８２に着座し、もう一方の端において逃しプレート７８に着座する。逃しばね８４もまた、第１のチャンバ６８内に配置され、アクチュエータステム６２と実質的に同軸である。逃しばね８４は、逃しプレート７８と逃し座８６との間に配置される。逃しばね８４は、逃しプレート７８をダイアフラムプレート７６に向かって付勢する。しかしながら、第２のチャンバ７０内の流体圧力が逃しばね８４によって生じる力を上回る場合、逃しプレート７８は、ダイアフラムプレート７６から離れるように移動し、流体が第２のチャンバ７０から外へ排出するための逃し通路を形成する。第２のチャンバ７０は、弁座４２の上流の流体通路３８に流体的に接続される。したがって、弁座４２の上流の流体圧力が既定レベルを上回る場合、逃しプレート７８がダイアフラムプレート７６から離れるように移動し、これにより流体は弁本体３２から外に、ひいては、弁本体３２に接続される場合があるタンク（図示せず）から外に排出することを可能にし、弁本体３２および／またはタンク内の圧力を逃す。
【００１８】
逃しばね座８６は、保持クリップ９０等の取付装置でアクチュエータステム６２に移動可能に取り付けられてもよい。図２に示されるように、保持クリップ９０は、アクチュエータステム６２上に形成される保持溝９２内に少なくとも部分的に配置されてもよい。保持クリップ９０は、内側環状フランジ９４および外側環状フランジ９６を有してもよい。内側環状フランジ９４は、アクチュエータステム６２の外径よりも小さい内径を有する。しかしながら、内側環状フランジ９４は、内側環状フランジ９４の内径よりもわずかに小
さい外径を有する保持溝９２内に着座する。保持クリップ９０は、片側に開口部９１を有してもよく、これにより、保持クリップ９０を、保持溝９２からの取り外しおよび別の保持溝９２への挿入のために拡張することが可能になる（図３を参照のこと）。
【００１９】
一実施形態において、アクチュエータステム６２は、アクチュエータステム６２の本体９６の中に形成される複数の保持溝９２ａ、９２ｂ、９２ｃを含んでもよい。アクチュエータステム６２は、一方の端にばねガイド部９８を含み、もう一方の端にプラグフランジ１００を含んでもよい。ばねガイド部９８は、アクチュエータばね８０および逃しばね８４を保持する。プラグフランジ１００とプラグ溝１０２とは協働して、ダイアフラムプレート７２を保持するプラグ１０４（図２）を固定する。プラグ座１０６は、プラグ１０４がばねガイド部９８に向かって摺動するのを防ぐ。プレート取付フランジ１０８は、アンダーカット部１１０によってプラグ座１０６から分離される。プレート取付フランジ１０８は、逃しプレート７８内の開口部１１２と協働して、アクチュエータステム６２上に逃しプレート７８を保持する。複数の溝９２の、溝９２ａ、９２ｂ、９２ｃは、複数の保持停止部１１４ａ、１１４ｂによって互いに分離される。保持停止部１１４ａ、１１４ｂは、保持溝９２ａ、９２ｂ、９２ｃのうちの１つにおいて保持クリップ９０を保持するのに役立つ。保持クリップ９０がある保持溝９２ａ、９２ｂ、９２ｃから別の保持溝９２ａ、９２ｂ、９２ｃへと移動するに従い、圧縮されるばねの長さが変化するため、逃しばね８４によって生じる付勢力が変化する。図３に示されたアクチュエータステム６２の実施形態は３つの保持溝９２ａ、９２ｂ、９２ｃを含むが、他の実施形態は、より多いまたはより少ない保持溝を含む可能性がある。例えば、アクチュエータステム６２の他の実施形態は、２つ、４つ、５つ、６つ、７つ、８つ、またはそれ以上の保持溝を含んでもよい。
【００２０】
本開示の教示に従うある特定の調節可能な固定逃しアセンブリが本明細書に記載されたが、添付された特許請求の範囲はそれらに限定されない。対照的に、本特許請求の範囲は、許容される同等物の範囲内に公平に含まれる本開示の教示のすべての実施形態を網羅する。
【図１】
0006267206.tif 000002
【図２】
0006267206.tif 000003
【図３】
0006267206.tif 000004